(57)【要約】【課題】ＤＶＤなどの記憶媒体からＡＶ情報を再生するシステムにおいて、通常のタイトルの再生だけでなく、所定のストリーム情報に関連する関連情報をコンピュータ・ネットワークのリソースなどを利用して、簡単な操作で容易に得ることができる再生装置を提供することにある。【解決手段】ＤＶＤ４０に録画されたタイトル情報を再生し、表示部１０の画面上に表示する機能を備えた再生装置において、画面上に表示したＷｅｂマークをクリック操作されたときに、ＣＰＵ１はモデム６を介してインターネット上のＷｅｂサーバにリンクし、画面上のストリーム情報に関連するＷｅｂページをアクセスする。このとき、タイトル情報を一時的に中断し、画面上にアクセスしたＷｅｂページを表示する。ＣＰＵ１は画面上でのＷｅｂページの表示処理が終了すると、タイトル情報の再生処理を再開する。【選択図】図１
2006033873.tif 000002
【特許請求の範囲】
【請求項１】
複数のシーンを含む動画像を再生し、表示装置に表示する再生装置において、
インターネット上のリソースと接続して、情報の交換を行なうための通信手段と、
前記動画像を再生するためのストリームデータと共に、前記ストリームデータのシーンを識別するための識別情報及び前記識別情報に対応付けされて、前記リソースに接続するためのＵＲＬ情報を含むテーブル情報が記録されたディスク記憶媒体と、
前記ディスク記憶媒体から前記テーブル情報を読み出して記憶するメモリ手段と、
前記ディスク記憶媒体から読み出されたストリームデータを再生して、再生シーンを前記表示装置に表示するストリームデータ表示手段と、
前記再生シーンの再生時間中に、前記テーブル情報のＵＲＬ情報に基づいて前記再生シーンに関連する関連情報の存在を示し、かつ入力操作の可能な入力指示用情報を前記表示装置に表示する入力指示用情報表示手段と、
前記入力指示用情報に対する入力操作に応じて、前記メモリ手段から前記再生シーンに対応する前記ＵＲＬ情報を読み出し、前記ＵＲＬ情報により指定される前記リソースに接続し、前記通信手段を介して前記再生シーンに対応する関連情報を取得する取得手段と、
前記表示装置に表示されている再生シーンと共に、前記リソースから取得された関連情報を前記表示装置に表示する関連情報表示手段と
を具備したことを特徴とする再生装置。
【請求項２】
前記テーブル情報は、前記前記ストリームデータのシーンを複数の領域に分割したときの各領域を識別するための識別情報、及び前記各領域に対応付けされたＵＲＬ情報を含み、
前記取得手段は、前記入力指示用情報に対する入力操作に応じて、前記メモリ手段から前記領域に対応する前記ＵＲＬ情報を読み出し、前記ＵＲＬ情報により指定される前記リソースに接続し、前記通信手段を介して前記領域に対応する関連情報を取得するように構成されていることを特徴とする請求項１に記載の再生装置。
【請求項３】
前記テーブル情報は、前記入力指示用情報を表示する表示時間を指定するための時間情報を含み、
入力指示用情報表示手段は、前記テーブル情報の前記時間情報で指定された時間だけ前記入力指示用情報を前記表示装置に表示するように構成されていることを特徴とする請求項１又は請求項２のいずれか１項に記載の再生装置。
【請求項４】
前記ストリームデータ表示手段は、
前記関連情報表示手段により前記関連情報が前記表示装置に表示されているとき、前記ストリームデータの再生処理を中断し、当該関連情報の表示が終了したときに前記ストリームデータの再生処理を再開するように構成されていることを特徴とする請求項１から請求項３のいずれか１項に記載の再生装置。
【請求項５】
前記テーブル情報は、
前記識別情報として、プログラムチェーン番号、ビデオタイトル番号、セル番号、チャプター番号などのＤＶＤ規格に基づいたストリームデータのシーンを特定するための情報を含むことを特徴とする請求項１から請求項４のいずれか１項に記載の再生装置。
【請求項６】
前記リソースは前記関連情報を管理する前記インターネット上のＷＥＢサーバであり、
前記取得手段は
前記入力指示に従って、前記ＷＥＢサーバに接続し、当該ＷＥＢサーバから送信される前記関連情報を受信して前記表示装置に表示することを特徴とする請求項１に記載の再生装置。
【請求項７】
複数のシーンを含む動画像を再生して表示装置に表示する手段及びインターネット上のリソースと接続して情報の交換を行なうための通信手段を有する再生装置に適用する再生方法であって、
前記再生装置は、
前記動画像を再生するためのストリームデータと共に、前記ストリームデータのシーンを識別するための識別情報、及び前記識別情報に対応付けされて、前記リソースに接続するためのＵＲＬ情報を含むテーブル情報が記録されたディスク記憶媒体を使用し、
前記ディスク記憶媒体から前記テーブル情報を読み出してメモリ手段に記憶するステップと、
前記ディスク記憶媒体から読み出されたストリームデータを再生して、再生シーンを前記表示装置に表示するステップと、
前記再生シーンの再生時間中に、前記テーブル情報のＵＲＬ情報に基づいて前記再生シーンに関連する関連情報の存在を示し、かつ入力操作の可能な入力指示用情報を前記表示装置に表示するステップと、
前記入力指示用情報に対する入力操作に応じて、前記メモリ手段から前記再生シーンに対応する前記ＵＲＬ情報を読み出し、前記ＵＲＬ情報により指定される前記リソースに接続し、前記通信手段を介して前記再生シーンに対応する関連情報を取得するステップと、
前記表示装置に表示されている再生シーンと共に、前記リソースから取得された関連情報を前記表示装置に表示するステップと
を有する手順を実行することを特徴とする再生方法。
【請求項８】
複数のシーンを含む動画像を再生して表示装置に表示する手段及びインターネット上のリソースと接続して情報の交換を行なうための通信手段を有し、
前記動画像を再生するためのストリームデータと共に、前記ストリームデータのシーンまたは当該シーンを複数の領域に分割したときの領域を識別するための識別情報、及び前記識別情報に対応付けされて、前記リソースに接続するためのＵＲＬ情報を含むテーブル情報が記録されたディスク記憶媒体を使用する再生装置において、
前記再生装置に設けられたコンピュータにより読取り可能な記憶媒体であって、
前記ディスク記憶媒体から前記テーブル情報を読み出してメモリ手段に記憶するステップと、
前記ディスク記憶媒体から読み出されたストリームデータを再生して、再生シーンを前記表示装置に表示するステップと、
前記再生シーンの再生時間中に、前記テーブル情報のＵＲＬ情報に基づいて前記再生シーンに関連する関連情報の存在を示し、かつ入力操作の可能な入力指示用情報を前記表示装置に表示するステップと、
前記入力指示用情報に対する入力操作に応じて、前記メモリ手段から前記再生シーンに対応する前記ＵＲＬ情報を読み出し、前記ＵＲＬ情報により指定される前記リソースに接続し、前記通信手段を介して前記再生シーンに対応する関連情報を取得するステップと、
前記表示装置に表示されている再生シーンと共に、前記リソースから取得された関連情報を前記表示装置に表示するステップと
を有する処理を前記コンピュータに実行させるプログラムを記憶した記憶媒体。
【発明の詳細な説明】
【技術分野】
【０００１】
本発明は、ＡＶ情報を再生するためのシステムであり、特に再生したストリーム情報に関連する関連情報をコンピュータ・ネットワーク上のリソースから得ることを可能にした外部アクセス機能を備えたストリームデータ再生装置に関する。
【背景技術】
【０００２】
近年、大容量のＤＶＤ（ディジタル・ビデオ・ディスク）の開発に伴って、ディジタルの映像情報（静止画像を含む）、音声情報などのいわゆるマルチメディア情報を利用するための各種の再生システムが提案されている。以下、ディジタルの映像情報（静止画像を含む）と音声情報とを統合してＡＶ情報と称する。
【０００３】
再生システムは、具体的にはＤＶＤドライブを有し、このＤＶＤドライブにセットされたＤＶＤに記録（録画）されたＡＶ情報を再生処理して、例えばテレビ受像機またはパーソナルコンピュータのディスプレイ（画面）上に表示させる機能を備えたビデオプレーヤまたはビデオデッキなどに相当する装置である。
【０００４】
ＤＶＤには通常では、ＭＰＥＧ（ｍｏｖｉｎｇ ｐｉｃｔｕｒｅ ｃｏｄｉｎｇ ｅｘｐｅｒｔｓ ｇｒｏｕｐ）２と称する動画像符号化方式により符号化されたＡＶ情報が音声情報などと多重化されて記録される。再生システムは、ＤＶＤから指定のタイトル（例えば映画）に対応する所定の符号化ストリーム（連続ビットデータ列）単位のストリーム情報を再生することにより、ＡＶ情報を画面上に連続的に再生する。
【０００５】
ところで、前記の再生システムは、ＤＶＤドライブだけでなく、特にインターネットのようなコンピュータ・ネットワークに接続するための通信機能を有し、当該ネットワーク上のリソースであるＷｅｂサーバから所望のＷｅｂページ（ホームページ）と呼ぶストリーム情報をアクセスできる統合的なシステムとして提案されている。
【発明の開示】
【発明が解決しようとする課題】
【０００６】
前述したような再生システムとして、コンピュータ・ネットワークに接続して当該ネットワーク上のリソース（Ｗｅｂサーバなど）を利用できる統合的なシステムが提案されている。このような統合的なシステムであれば、ＤＶＤに録画されたタイトルの再生処理だけでなく、ストリームの再生によるストリーム情報に関連する関連情報（任意に設定された情報であり、必ずしも属性的な情報のみを意味しない）をネットワーク上のリソースから取得して表示画面上に表示出力するような処理も可能となる。
【０００７】
具体例としては、ＤＶＤから読出したストリームの再生により、表示画面上に例えばレストランで食事をしているシーン（ストリーム情報）が表示されているとき、ユーザが必要に応じてそのレストランに関する関連情報を得られるようなシステムである。関連情報は例えばネットワーク上のＷｅｂサーバに用意されて、ユーザが表示画面上に表示される例えばＷｅｂマークをマウスでクリックするだけで、当該Ｗｅｂサーバにリンクされて、関連情報（即ち、Ｗｅｂページ）が表示画面上に表示されるシステムであれば非常に便利である。このようなシステムであれば、ユーザは、タイトルを再生すると共に、前記のようなシーン（ストリーム情報）に関係する例えばレストランの場所やメニュー内容などの関連情報を画面上で要求時に視聴できる。
【０００８】
そこで、本発明の目的は、ＤＶＤなどの記憶媒体からＡＶ情報を再生するシステムにおいて、通常のタイトルの再生だけでなく、所定のストリーム情報に関連する関連情報をコンピュータ・ネットワークのリソースなどを利用して、簡単な操作で容易に得ることができる再生装置を提供することにある。
【課題を解決するための手段】
【０００９】
本発明の観点に従った再生装置は、複数のシーンを含む動画像を再生し、表示装置に表示する再生装置において、インターネット上のリソースと接続して、情報の交換を行なうための通信手段と、前記動画像を再生するためのストリームデータと共に、前記ストリームデータのシーンを識別するための識別情報及び前記識別情報に対応付けされて、前記リソースに接続するためのＵＲＬ情報を含むテーブル情報が記録されたディスク記憶媒体と、前記ディスク記憶媒体から前記テーブル情報を読み出して記憶するメモリ手段と、前記ディスク記憶媒体から読み出されたストリームデータを再生して、再生シーンを前記表示装置に表示するストリームデータ表示手段と、前記再生シーンの再生時間中に、前記テーブル情報のＵＲＬ情報に基づいて前記再生シーンに関連する関連情報の存在を示し、かつ入力操作の可能な入力指示用情報を前記表示装置に表示する入力指示用情報表示手段と、前記入力指示用情報に対する入力操作に応じて、前記メモリ手段から前記再生シーンに対応する前記ＵＲＬ情報を読み出し、前記ＵＲＬ情報により指定される前記リソースに接続し、前記通信手段を介して前記再生シーンに対応する関連情報を取得する取得手段と、前記表示装置に表示されている再生シーンと共に、前記リソースから取得された関連情報を前記表示装置に表示する関連情報表示手段とを備えた構成である。
【００１０】
本発明の再生装置は、例えばＤＶＤなどの記憶媒体に記録されたＡＶ情報を再生し、表示装置の画面上に表示出力する機能を備えた再生システムにおいて、例えばインターネットなどのコンピュータ・ネットワーク上のリソースにリンクできるネットワーク・リンク機能を有する。このネットワーク・リンク機能は、再生するＡＶ情報に含まれる所定のストリーム情報（シーン）に関連する関連情報を、当該画面上での入力指示操作（例えばマウスによるクリック）に応じてＷｅｂサーバなどのリソースからアクセスするための機能である。この機能の具体的手段としては，当該リソースを利用するためのリソース利用情報をＤＶＤなどの記憶媒体から読出す手段およびリソース利用情報を使用してリソースからの関連情報のアクセスを実行する手段が含まれる。
【００１１】
このようなネットワーク・リンク機能を有する再生装置であれば、ＤＶＤからあるタイトルを再生しているときに、ユーザは特定のストリーム情報（シーン）が表示されているときに、必要であればマウスによるクリック操作などの入力指示操作により、そのシーンに関連して予め用意された関連情報を当該画面上に表示することができる。
【００１２】
特定のストリーム情報は、予め関連情報が用意されているものであり、例えば画面上にＷｅｂマークのような特定入力情報を表示させることにより識別できる。再生装置は、特定入力情報を使用した入力指示操作に応じて、予め用意されているリソース利用情報を使用して、ネットワーク上のリソース（Ｗｅｂサーバ）にリンクし、当該ストリーム情報に関連する関連情報をアクセスする。リソース利用情報は、例えばストリーム単位のストリーム情報毎に、ネットワーク上のリソースにリンクするためのリンク情報（アクセス情報）を有する。
【００１３】
具体例としては、ＤＶＤから読出したストリームの再生により、表示画面上に例えばレストランで食事をしているシーンが表示されているとき、ユーザが必要に応じて当該画面上で例えばＷｅｂマークをマウスでクリックする。この入力指示操作に応じて、当該レストランに関係する関連情報が用意されたＷｅｂサーバにリンクされて、このＷｅｂサーバからアクセスされた関連情報（Ｗｅｂページまたはホームページ）が画面上に表示される。これにより、ユーザは、画面上に再生されたレストランのシーンを視聴すると共に、そのレストランの場所やメニューなどの関連情報を画面上で視聴することができる。
【発明の効果】
【００１４】
本発明によれば、ＤＶＤなどの記憶媒体からＡＶ情報を再生する再生装置において、通常のタイトルの再生だけでなく、所定のストリーム情報に関連する関連情報をコンピュータ・ネットワークのリソースなどを利用して、簡単な操作で容易に得ることができる。従って、ユーザには通常のタイトルの再生時に要望の関連情報を即座に参照することができるため、結果的に多様な情報の再生が可能となる。
【発明を実施するための最良の形態】
【００１５】
以下図面を参照して本発明の実施の形態を説明する。
【００１６】
図１は同実施形態に関係する再生装置のハードウェアの構成を示すブロック図であり、図２は同再生装置の概念的構成を示すブロック図である。
【００１７】
（システム構成）
本実施形態の再生装置は、ＤＶＤドライブを内蔵したパーソナルコンピュータまたはＴＶ受像機を有するセット・トップ・ボックス（ｓｅｔ ｔｏｐ ｂｏｘ）、あるいはそれらを統合したようなマルチメディア端末装置のようなシステムを想定する。なお、セット・トップ・ボックスはＩＲＤ（ｉｎｔｅｇｒａｔｅｄ ｒｅｃｅｉｖｅｒ ｄｅｃｏｄｅｒ）とも呼ばれている。
【００１８】
当該再生装置のハードウェア構成は、図１に示すように、メイン制御装置を構成するマイクロプロセッサ（ＣＰＵ）１と、ＣＰＵ１のワークメモリ（メインメモリ）として機能するＲＡＭ２と、ＣＰＵ１のプログラムなどを格納したＲＯＭ３と、ＤＶＤドライブ４とを有する。ＤＶＤドライブ４は、本実施形態に関係する記憶媒体であり、ＡＶ情報および後述する情報管理テーブル（リソース利用情報）を格納したＤＶＤ４０を駆動するためのドライブである。
【００１９】
さらに、本装置は、インターネット上のリソースであるＷｅｂサーバに接続して情報の交換を行なうための通信制御部５とモデム６を有するネットワーク接続用装置、入力制御部７と入力部８からなる入力装置、および表示制御部９と表示部１０からなる表示装置のそれぞれを有する。入力部８はマウスおよびキーボードを有する。表示部１０は、例えばＣＲＴディスプレイや液晶ディスプレイの表示画面またはＴＶ受像機のディスプレイである。
【００２０】
（本実施形態の再生動作に関係する概念的構成）
本実施形態のＤＶＤドライブ４のＤＶＤ４０には、図２に示すように、ＡＶ情報（以下タイトル情報と呼ぶ）４０ａおよび情報管理テーブル４０ｂが格納されている。タイトル情報４０ａは、例えば映画などのマルチメディア情報であり、例えばＭＰＥＧ２の動画像符号化方式により符号化された符号化ストリーム（連続ビットデータ列）情報である。なお、タイトル情報４０ａには、通常ではストリーム情報以外に、例えばＤＶＤ規格に準拠した制御情報（データ再生制御に関するナビゲーション・コマンドなどの管理情報）も含まれている。
【００２１】
情報管理テーブル４０ｂは、本発明の再生方式の特徴であるネットワーク（インターネットを想定する）のリソース（Ｗｅｂサーバを想定する）を利用するためのリソース利用情報である。情報管理テーブル４０ｂは、具体的には図３に示すように、大別してタイトル情報４０ａの各ストリームを特定するための識別情報（ＤＶＤ４０の領域情報）ＳＴ−１〜ＳＴ−ｎ、およびアクセス情報（またはリンク情報）３０からなる。
【００２２】
識別情報ＳＴ−１〜ＳＴ−ｎは、プログラムチェーン番号（タイトルの全体または一部を再生するための論理単位）、ビデオタイトル番号、セル番号、チャプター番号のようなＤＶＤ規格に基づいたストリームを特定するための情報以外に、本実施形態に関係する情報通知時間の情報（以下時間情報と称する）および座標情報を含む。
【００２３】
時間情報は、後述するように、ストリーム中の所定のストリーム情報（シーン）においてリソースの利用が可能である（本実施形態では関連情報であるＷｅｂページの表示が可能）ことを示すためのＷｅｂマーク（特定入力情報）の表示制御（表示の開始と終了）に使用するための情報である。なお、ストリーム全体でＷｅｂページの表示が可能である場合（アクセスが可能）には、当該時間情報は不要である。
【００２４】
さらに、座標情報とは、ストリーム中の所定のストリーム情報（動画像）において複数の区画情報毎にＷｅｂページをアクセスすることが可能である場合に使用するための情報である。従って、所定のストリーム情報において、アクセス対象のＷｅｂページが１個の場合には、座標情報は不要となる。具体的には、図９R>９（Ｂ）に示すように、表示部１０の画面１０ａ上に表示されるストリーム情報を複数の区画情報９２ａ〜９２ｃとして取り扱う場合に、各区画情報９２ａ〜９２ｃ毎にＷｅｂページが用意されている場合である。各区画情報９２ａ〜９２ｃは前記の座標情報により識別される。
【００２５】
アクセス情報（リンク情報）３０は、各ストリーム（ＳＴ−１〜ＳＴ−ｎ）において所定のストリーム情報毎またはストリーム全体に対応するＷｅｂページをアクセスするためのリソース（Ｗｅｂサーバ）に接続するための情報（ＵＲＬ表示関連情報）である。例えば、ストリームＳＴ−ｎに対応するＷｅｂページは、アクセス情報（§ｎ）に対応するＷｅｂサーバに接続してアクセスされる。
【００２６】
情報管理テーブル４０ｂは、図２に示すように、タイトル情報の再生時に、ＣＰＵ１の制御によりＤＶＤ４０から読出されて、ＲＡＭ２の所定領域２０に格納される。ＣＰＵ１は、ＲＡＭ２に格納された情報管理テーブル４０ｂを使用して、本実施形態のリソース利用処理を実行する。即ち、ＮＴ（ネットワーク）リソース利用の判断処理部１００は、後述するユーザの入力指示操作（Ｗｅｂマークのクリック操作）に応じてリソース利用の正当性の判断（即ち、Ｗｅｂページのアクセス可能の判断）を実行する。さらに、判断処理部１００のアクセス可能の判断結果に基づいて、ＮＴリソース利用処理部１０１は該当するネットワーク上のＷｅｂサーバに接続して、関連情報に相当するＷｅｂページをアクセスする処理を実行する。なお、判断処理部１００およびＮＴリソース利用処理部１０１はそれぞれ、ＣＰＵ１と設定された各プログラムとからなる概念的な構成要素を意味する。
【００２７】
（タイトルの再生処理）
以下図１から図３以外に、図４から図６のフローチャートおよび図９から図１２までの表示画面関係の概念図を参照して、同実施形態の動作を説明する。
【００２８】
まず、ＤＶＤドライブ４にＤＶＤ４０がセットされて、ユーザが入力部８を操作してタイトル情報の再生を行なう入力指示があると、ＣＰＵ１はＤＶＤ４０からタイトル情報を読出して表示部１０の画面上に表示出力する再生処理を開始する（再生プログラムの起動）。
【００２９】
この再生開始時に、ＣＰＵ１は、図２に示すように、ＤＶＤ４０から情報管理テーブル４０ｂを読出してメインメモリ（ＲＡＭ）２にロードする（ステップＳ１）。これにより、ＣＰＵ１は、再生対象のタイトル情報の各ストリームに関連する関連情報（Ｗｅｂページ）をアクセスするためのリソース利用情報（ＷＥＢ表示関連情報と呼ぶ場合がある）を読み込むことになる。
【００３０】
ＣＰＵ１は、ＤＶＤ４０から指定されたタイトル情報が存在することを確認すると、ストリーム単位のストリーム情報（ストリーム情報）を読込む（ステップＳ２，Ｓ３）。ＣＰＵ１は、情報管理テーブル４０ｂに基づいて、ＷＥＢ表示関連情報が付加されているか否かをストリーム単位でチェックする（ステップＳ４）。即ち、情報管理テーブル４０ｂにＷＥＢ表示関連情報が含まれていない場合には、ＣＰＵ１は、本実施形態のリソース利用処理を実行せずに、通常の再生処理を継続する（ステップＳ４のＮＯ，Ｓ５，Ｓ６，Ｓ１１）。
【００３１】
図３に示すように、情報管理テーブル４０ｂにＷＥＢ表示関連情報が含まれている場合に、ＣＰＵ１は、ＷＥＢ表示関連情報の内容をチェックし、前述の時間情報の有無を確認する（ステップＳ７，Ｓ８）。時間情報が存在しない場合には、ストリーム全体の再生時にＷｅｂマーク（ＷＥＢマークと表記する場合もある）を表示部１０の画面上に表示する（ステップＳ８のＮＯ，Ｓ１０）。具体的には、図３に示すように、ストリームＳＴ−ｎに対応するストリーム情報を再生する場合である。具体的には、図９（Ａ）に示すように、表示部１０の画面１０ａ上に、ストリーム情報の所定のストリーム情報９１を表示したときに、当該画面１０ａにＷｅｂマーク９０を表示する。一方、時間情報が存在する場合には、ＣＰＵ１はＷｅｂマークの表示制御のためのタイマ処理を実行する（ステップＳ８のＹＥＳ，Ｓ９）。
【００３２】
（Ｗｅｂマークの表示処理）
ここで、時間情報に基づいたタイマ処理について、図５と図６のフローチャートおよび図１１を参照して説明する。
【００３３】
時間情報は、タイトル情報において、Ｗｅｂページが用意されている所定の単一のストリーム情報（リソース利用可能なシーンに相当し、例えば図３のＳＴ−１）の表示期間に、Ｗｅｂマークを表示するための表示時間を指定するための情報である。ここで、図１１に示すように、連続再生中のストリームデータＡ〜Ｃを想定する。所定のストリーム情報とは、ストリームデータＢの区間Ｂ２に対応するシーンに相当し、時間情報に基づいてＷｅｂマークを表示する情報として設定されている。
【００３４】
ＣＰＵ１は、区間Ｂ２の再生開始（Ｓ時点）からタイマをスタートさせて、表示部１０の画面上にＷｅｂマークを表示させる（ステップＳ２０，Ｓ２１）。そして、区間Ｂ２の再生終了（Ｅ時点）に伴って、Ｗｅｂマークの表示を解除するための表示処理に移行する（ステップＳ３０，Ｓ３１）。
【００３５】
このような時間情報に基づいたタイマ処理により、具体的には、図１２に示すような表示処理を実行されることになる。即ち、表示部１０の画面１０ａ上には、図１２（Ａ）に示すように、時間的に先行する区間Ａのストリーム情報９４ａが表示される。これに連続して、図１２（Ｂ）に示すように、画面１０ａ上には区間Ｂのストリーム情報９４ｂが表示される。このとき、前述のタイマ処理により、当該画面１０ａ上にはＷｅｂマーク９０が表示される。
【００３６】
さらに、これに連続して、図１２（Ｃ）に示すように、画面１０ａ上には区間Ｃのストリーム情報９４ｃが表示される。このようなＷｅｂマークの表示処理により、ユーザは表示部１０の画面１０ａ上において、区間Ｂのストリーム情報９４ｂが再生されているときに、Ｗｅｂマーク９０の表示を確認することができる。このＷｅｂマーク９０の表示により、再生されたストリーム情報９４ｂに関連する関連情報（Ｗｅｂページ）が存在し、必要に応じて参照できることが示唆される。
【００３７】
（リソース利用処理）
以下主として図７と図８のフローチャートおよび図１０を参照して、本実施形態のリソース利用処理について説明する。
【００３８】
いま仮に、図１０（Ａ）に示すように、表示部１０の画面１０ａ上にはストリーム情報（シーン）９４が再生されていると想定する。このシーン９４は、例えば自動車が道路を走行している場面の映像である。ユーザが、入力部８のマウスを操作して画面１０ａ上のＷｅｂマーク９０をクリック操作すると、図２に示すように、判断処理部１００が起動する（ステップＳ４０）。即ち、判断処理部１００は、情報管理テーブル４０ｂに基づいてリソース利用の正当性の判断、即ちユーザが入力指示操作したストリーム情報９４に対応するＷｅｂページのアクセスが可能であるか否かの判断処理を実行する（ステップＳ４１）。
【００３９】
この判断処理により所定の条件が一致している場合には、ＮＴリソース利用処理部１０１が起動してリソース利用処理を実行する（ステップＳ４２のＹＥＳ）。ここで、正当性の所定の条件とは、前述のＷＥＢ関連情報の存在、タイトルの再生処理中、かつＷＥＢ関連情報として入力指示操作したストリーム情報９４に対応するアクセス情報３０が存在することである。
【００４０】
ＣＰＵ１は、現時点のタイトル情報の再生処理を中断する（ステップＳ４３）。ここで、図１０（Ｂ）に示すように、画面１０ａ上に現時点の再生中のストリーム情報をウインドウ９５で表示するようにしてもよい。
【００４１】
ＣＰＵ１は、通信制御部５とモデム６を介して、インターネットに接続してアクセス情報３０に基づいて指定されるＷｅｂサーバをアクセスする（ステップＳ４４）。ここで、Ｗｅｂサーバとの接続処理とタイトル情報の再生処理との関係は、図８のフローチャートに示すように、タイトル情報の再生中断でモデムの起動とＷｅｂサーバとの接続処理が実行される（ステップＳ５０〜Ｓ５２）。そして、後述するように、リソース利用処理が終了すると、タイトル情報の再生再開とＷｅｂサーバとの接続解除が実行されて、ネットワークとの接続処理は終了となる（ステップＳ５３〜Ｓ５６）。
【００４２】
ＣＰＵ１は、該当するＷｅｂサーバをアクセスすると、予めＷｅｂサーバに用意されているストリーム情報９４に関連したＷｅｂページ（ここではストリーム情報９４の自動車に関するホームページ）を受信する。
【００４３】
そして、図１０（Ｂ）に示すように、表示部１０の画面１０ａ上に、当該ホームページ９６を表示する（ステップＳ４５）。ＣＰＵ１は、当該ホームページ９６の表示が終了すると、ＮＴリソース（Ｗｅｂサーバ）との接続を解除し、タイトル情報の再生を再開する（ステップＳ４６のＹＥＳ，Ｓ４７，Ｓ４８）。ここで、図９（Ｃ）に示すように、現時点の再生中のストリーム情報９１を表示解除して、画面１０ａ上に当該ホームページをウインドウ９３により表示してもよい。
【００４４】
以上のように本実施形態によれば、画面上にタイトルを再生しているとき、所定のストリーム情報（Ｗｅｂマークの表示）の再生時に、ユーザが関連情報の参照を希望するときはＷｅｂマークをクリックするような入力指示操作を実行するだけで、当該関連情報に相当するＷｅｂページを画面上に表示することができる。従って、例えば画面上に走行している自動車が表示されているときに、ユーザは当該自動車に関する関連情報を参照したい場合に、その画面上で自動車に関する関連情報を直ちに参照することが可能となる。この場合、関連情報をＮＴリソースとのリンク処理により得られるか否かを、画面上に特定のＷｅｂマークを表示することにより識別できる。
【００４５】
（本実施形態の変形例）
図１３は本実施形態の変形例に関するフローチャートである。
【００４６】
本実施形態は、前述したように、ストリーム再生におけるストリーム情報に関連した関連情報を、外部のコンピュータ・ネットワークのリソース（Ｗｅｂサーバ）にリンクしてＷｅｂページとしてアクセスするシステムである。これに対して、本変形例は、当該関連情報をＤＶＤ４０に格納された関連情報テーブルに基づいて、ＤＶＤ４０の所定の記憶領域に格納された関連情報をアクセスするシステムに関する。
【００４７】
以下図１３のフローチャートを参照して具体的に説明する。
【００４８】
ここで、タイトル情報の再生処理、およびストリーム情報毎またはストリーム単位での特定入力情報（Ｗｅｂマークに相当）の表示処理については、本実施形態と同様である。
【００４９】
即ち、ＣＰＵ１は、ＤＶＤ４０から読出したタイトル情報のストリームの再生処理を開始すると、予め設定されたストリーム情報の再生時にＷｅｂマークに相当する注釈キーを画面上に表示する（ステップＳ６０）。ここで、ユーザが入力部８のマウスを操作して画面上の注釈キーをクリック操作すると、ＣＰＵ１はＤＶＤ４０に格納された関連情報テーブルを参照して、該当する関連情報を検索する（ステップＳ６１，Ｓ６２）。関連情報テーブルは、前述の情報管理テーブルと同様に、ＤＶＤ４０からメインメモリ（ＲＡＭ）２にロードされている。
【００５０】
また、ＣＰＵ１は注釈キーの操作に応じて関連情報テーブルを参照し、該当する関連情報を検索したときは、現時点でのストリームの再生を中断する（ステップＳ６３）。ＣＰＵ１はＤＶＤ４０の所定の記憶領域から注釈情報をアクセスして、当該画面上に表示する（ステップＳ６４，Ｓ６５）。そして、注釈情報の表示処理が終了すると、中断していたストリームの再生を再開する（ステップＳ６６）。
【００５１】
以上のように本変形例によれば、関連情報をアクセスするためのリソースとしてＤＶＤ４０の記憶領域を利用し、予め格納された関連情報をユーザの入力指示操作に応じて読出して画面上に表示する。例えば映画などのタイトル情報を再生する場合に、あるシーンの再生中に、ユーザが背景説明などを参照したい場合には、予めＤＶＤ４０に用意された関連情報として注釈情報をアクセスすることができる。
【００５２】
従って、ユーザは、タイトルを再生すると共に、タイトル再生中のあるシーンに関係する関連情報としての注釈情報を画面上において参照することができる。なお、本変形例では、関連情報はタイトル情報と同一のＤＶＤ４０に格納されている場合を説明したが、これに限ることはない。例えば、システムに設けられたＨＤＤ（ハードディスクドライブ）のような別の記憶媒体に、関連情報を予め格納し、これをリソースとして利用する方式でもよい。また、再生中断時にＤＶＤ４０を取り外して、関連情報を格納した別のＤＶＤをセットしてアクセスするような方式でもよい。
【００５３】
なお、本実施形態において、ＡＶ情報の再生処理及びリソース利用処理は、ＣＰＵ１がプログラムを実行することにより実現される。このプログラムは、ＤＶＤ４０または他の外部記憶媒体に格納されて、ＲＡＭ２にロードされる。また、本実施形態では、ＡＶ情報の映像情報に関する関連情報をＮＴリソースからアクセスする方法について説明したが、当然ながら音声情報に関する関連情報についても適用できる。例えば、あるシーンのバックに流れる音楽の題名を知りたい場合に、ユーザの入力指示に応じて、ＮＴリソースからその音楽に関する関連情報をアクセスする場合である。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５５】
【図１】本発明の実施形態に関する再生装置のハードウェアの構成を示すブロック図。
【図２】本実施形態に関する再生装置の概念的構成を示すブロック図。
【図３】本実施形態に関する情報管理テーブルの構成を示す図。
【図４】本実施形態に関する再生装置の動作を説明するためのフローチャート。
【図５】本実施形態に関する再生装置の動作を説明するためのフローチャート。
【図６】本実施形態に関する再生装置の動作を説明するためのフローチャート。
【図７】本実施形態に関する再生装置の動作を説明するためのフローチャート。
【図８】本実施形態に関する再生装置の動作を説明するためのフローチャート。
【図９】本実施形態に関する表示画面の一例を示す図。
【図１０】本実施形態に関する表示画面の一例を示す図。
【図１１】本実施形態に関するストリームデータと所定のストリーム情報との関係を示す概念図。
【図１２】本実施形態に関する表示画面の一例を示す図。
【図１３】本実施形態の変形例を説明するためのフローチャート。
【符号の説明】
【００５６】
１…マイクロプロセッサ（ＣＰＵ）、２…メインメモリ（ＲＡＭ）、３…ＲＯＭ、
４…ＤＶＤドライブ、４０…ＤＶＤ、５…通信制御部、６…モデム、
７…入力制御部、８…入力部（マウス）、９…表示制御部、１０…表示部、
１０ａ…表示画面。
【図１】
2006033873.tif 000003
【図２】
2006033873.tif 000004
【図３】
2006033873.tif 000005
【図４】
2006033873.tif 000006
【図５】
2006033873.tif 000007
【図６】
2006033873.tif 000008
【図７】
2006033873.tif 000009
【図８】
2006033873.tif 000010
【図９】
2006033873.tif 000011
【図１０】
2006033873.tif 000012
【図１１】
2006033873.tif 000013
【図１２】
2006033873.tif 000014
【図１３】
2006033873.tif 000015